(57)【要約】【課題】  小型化を図ると共に相手コネクタ側のこじりにも強い電気コネクタを提供する。【解決手段】  複数の導電性の端子４０が装着されている絶縁性のハウジング２０と、このハウジング２０の外面を覆っているメタルシェル３０とを備えた電気コネクタ１０である。メタルシェル３０が、略平行となって互いに対向している第１、第２の側板３１、３２を有し、各側板３１、３２の端縁の略中央からネイル３１１、３２１が連続して延びている。メタルシェル３０が、第１、第２の側板３１、３２を繋ぐ第３の側板３３を更に有し、この第３の側板３３の端縁外側に、前記ハウジング２０に一体に設けられた断面Ｌ字形の爪片２４が係合している。【選択図】  図１
2005166345.tif 000002
【特許請求の範囲】
【請求項１】
複数の導電性の端子（４０）が装着されている絶縁性のハウジング（２０）と、このハウジング（２０）の少なくとも一部の外面を覆っているメタルシェル（３０）とを備えた電気コネクタ（１０）において、
前記ハウジング（２０）は、その端部に互いに略平行な第１、第２の外面（２１２、２１３）と、この第１、第２の外面（２１２、２１３）の間に延びる第３の外面（２１４）を有し、第３の外面（２１４）に断面Ｌ字形の爪片（２４）が一体に設けられて、第３の外面（２１４）と爪片（２４）の間に前記メタルシェル（３０）を構成している金属板の板厚に略等しい間隙を形成していると共に、
前記メタルシェル（３０）は、前記ハウジング（２０）の第１、第２の外面（２１２、２１３）をそれぞれ覆う第１、第２の側板（３１、３２）と、この第１、第２の側板（３１、３２）の間に延びてハウジング（２０）の第３の外面（２１４）を覆う第３の側板（３３）を有しており、
前記メタルシェル（３０）の第３の側板（３３）が前記第３の外面（２１４）と爪片（２４）の間の間隙に収容されており、そして、前記第１、第２の側板（３１、３２）の端縁には、端縁の遠方に延びるネイル（３１１、３２１）が一体に設けられていることを特徴とする電気コネクタ。
【請求項２】
前記メタルシェル（３０）の第３の側板（３３）の端縁部に、前記爪片（２４）の基部（２４１）が収容される切欠部（３３１）が形成されている請求項１に記載の電気コネクタ。
【請求項３】
前記ハウジング（２０）の爪片（２４）は、所定の間隔を保って２個設けられ、前記切欠部（３３１）の幅が２個の爪片（２４）の外側間隔に合せてあり、爪片（２４）と切欠部（３３１）の縁部を係合させて、ハウジング（２０）とメタルシェル（３０）の相対位置が定められている請求項２に記載の電気コネクタ。
【請求項４】
前記メタルシェル（３０）は、固定用のフランジ（３６１）を更に有し、前記ハウジング（２０）に形成されたプラットフォーム（２３１）に支持されている請求項１〜３のいずれかに記載の電気コネクタ。
【請求項５】
前記ハウジング（２０）に装着された端子（４０）は、ハウジング（２０）の端部から遠方に延びるピン状の半田テイル（４２）を備えている請求項１〜４のいずれかに記載の電気コネクタ。
【請求項６】
前記ハウジング（２０）に装着された端子（４０）は、ハウジング（２０）の端部から遠方にＬ字状に延びる半田テイル（４３）を備えている請求項１〜４のいずれかに記載の電気コネクタ。
【請求項７】
前記Ｌ字状に延びる半田テイル（４３）は、先端（４３１）が前記２個の爪片（２４）の間で整列し、爪片（２４）より外部に突出しないようにされている請求項６に記載の電気コネクタ。
【請求項８】
複数の導電性の端子（４０）が装着されている絶縁性のハウジング（２０）と、このハウジング（２０）の少なくとも一部の外面を覆っているメタルシェル（３０）とを備えた電気コネクタ（１０）において、
前記メタルシェル（３０）が、略平行となって互いに対向している第１、第２の側板（３１、３２）を有し、各側板（３１、３２）の端縁の略中央からネイル（３１１、３２１）が連続して延びていると共に、
メタルシェル（３０）が、前記第１、第２の側板（３１、３２）を繋ぐ第３の側板（３３）を更に有し、この第３の側板（３３）の端縁外側に、前記ハウジング（２０）に一体に設けられた断面Ｌ字形の爪片（２４）が係合していることを特徴とする電気コネクタ。
【請求項９】
前記断面Ｌ字形の爪片（２４）は、その基部（２４１）が前記第３の側板（３３）に形成した切欠部（３３１）に収容されている請求項８に記載の電気コネクタ。
【請求項１０】
前記爪片（２４）は、所定の間隔で２個設けられ、各爪片（２４）の基部（２４１）と前記切欠部（３３１）の係合で、ハウジング（２０）とメタルシェル（３０）の相対位置が定められている請求項９に記載の電気コネクタ。
【請求項１１】
前記メタルシェル（３０）は、固定用のフランジ（３５１）を更に有し、前記ハウジング（２０）に形成されたプラットフォーム（２３１）に支持されている請求項８〜１０のいずれかに記載の電気コネクタ。
【請求項１２】
前記ハウジング（２０）に装着された端子（４０）は、ハウジング（２０）の端部から遠方に延びるピン状の半田テイル（４２）を備えている請求項８〜１１のいずれかに記載の電気コネクタ。
【請求項１３】
前記ハウジング（２０）に装着された端子（４０）は、ハウジング（２０）の端部から遠方にＬ字状に延びる半田テイル（４３）を備えている請求項８〜１１のいずれかに記載の電気コネクタ。
【請求項１４】
前記Ｌ字状に延びる半田テイル（４３）は、先端（４３１）が前記２個の爪片（２４）の間で整列し、爪片（２４）より外部に突出しないようにされている請求項１３に記載の電気コネクタ。
【発明の詳細な説明】
【技術分野】
【０００１】
この発明は、複数の導電性の端子が装着されている絶縁性のハウジングと、このハウジングの外面を覆っているメタルシェルとを備えた電気コネクタに関する。
【背景技術】
【０００２】
従来、複数の導電性の端子が装着されている絶縁性のハウジングと、このハウジングの外面を覆っているメタルシェルとを備えた電気コネクタとして、図１８、１９に示すような構造のものがある（特許文献１参照）。図において、３００がハウジング、３１０がメタルシェルである。ハウジング３００には導電性の端子３２０が複数装着されている。端子３２０が装着されたハウジング３００を、図１９に矢示３３０で示すように、メタルシェル３１０に組み付けて電気コネクタを完成している。このため、メタルシェル３１０の側板３１１の端部にはくさび受入溝３１２が矢示３３０の方向で形成される一方で、ハウジング３００の外面にはくさび３０１が矢示３３０の方向で設けられて、ハウジング３００とメタルシェル３１０の位置決めや、両部材の仮係止ができるようにしている。
【０００３】
【特許文献１】特開２００２−２９８９８４号公報  （０００３〜００１２、図６〜８）
【発明の開示】
【発明が解決しようとする課題】
【０００４】
このような電気コネクタの小型化を図ろうとする場合、前記メタルシェル３１０の側板３１１にくさび受入溝３１２が形成されているために、十分な幅のネイル（取付基板に取り付けるためのネイル）を側板３１１の端縁から遠方に延びるように設けることが不可能となり、図の矢印Ｗの方向の小型化が難しかった。また、このような電気コネクタに嵌合した相手コネクタ（プラグコネクタ）およびワイヤハーネスによって、図の矢印Ｆのようなこじりの外力が加えられた場合、その外力がハウジング３００に直接伝達されることの無いように、メタルシェル３１０で前記外力を受けるようにする必要があるが、側板３１１の端部には前記くさび受入溝３１２が形成されているので、側板３１１の中間部にある程度の長さが必要となり、したがって、図の矢印Ｈの方向の小型化も難しかった。
【０００５】
また前記くさび受入溝３１２には、ハウジング３００の側面に設けられたくさび３０１が係合しているため、前記外力がメタルシェル３１０を介して、ハウジング３００に直接伝達されることによってハウジング３００に負荷がかかるおそれがあった。また前記くさび受入溝３１２の近傍は強度が低下しているため、前記外力を受けるとこの部分に負荷が集中するおそれもあった。
この発明は、このような小型化の障害に鑑みて成されたもので、小型化を図ると共に相手コネクタ側のこじりにも強い電気コネクタを提供することを目的としている。
【課題を解決するための手段】
【０００６】
上記の目的を達成するこの発明は、複数の導電性の端子が装着されている絶縁性のハウジングと、このハウジングの少なくとも一部の外面を覆っているメタルシェルとを備えた電気コネクタにおいて、
前記ハウジングは、その端部に互いに略平行な第１、第２の外面と、この第１、第２の外面の間に延びる第３の外面を有し、第３の外面に断面Ｌ字形の爪片が一体に設けられて、第３の外面と爪片の間に前記メタルシェルを構成している金属板の板厚に略等しい間隙を形成していると共に、
前記メタルシェルは、前記ハウジングの第１、第２の外面をそれぞれ覆う第１、第２の側板と、この第１、第２の側板の間に延びてハウジングの第３の外面を覆う第３の側板を有しており、
前記メタルシェルの第３の側板が前記第３の外面と爪片の間の間隙に収容されており、そして、前記第１、第２の側板の端縁には、端縁の遠方に延びるネイルが一体に設けられていることを特徴とする電気コネクタである。
【０００７】
また、複数の導電性の端子が装着されている絶縁性のハウジングと、このハウジングの少なくとも一部の外面を覆っているメタルシェルとを備えた電気コネクタにおいて、
前記メタルシェルが、略平行となって互いに対向している第１、第２の側板を有し、各側板の端縁の略中央からネイルが連続して延びていると共に、
メタルシェルが、前記第１、第２の側板を繋ぐ第３の側板を更に有し、この第３の側板の端縁外側に、前記ハウジングに一体に設けられた断面Ｌ字形の爪片が係合していることを特徴とする電気コネクタである。
【０００８】
ハウジングに一体で設けられる前記爪片は、１個でも良いが、好ましくは所定の間隔で２個設けるのが望ましい。以下で説明するこの発明の好ましい形態のように、この２個の爪片の基部をメタルシェルの第３の側板に形成した切欠部に係合させることで、ハウジングとメタルシェルの相対位置を定めることができる。また、ハウジングに装着した端子から延びる半田テイルをＬ字状とした場合に、この半田テイルをこの２個の爪片で保護することができる。
【発明の効果】
【０００９】
この発明の電気コネクタによれば、ハウジングに設けた爪片をメタルシェルの側板に係合させたので、メタルシェル側にくさび受入溝を形成すると共にハウジング側にくさびを設けて相互に係合させるという従来の構造を無くすることができる。したがって、くさび受入溝の存在による障害を除き、相手コネクタ側のこじりの外力をメタルシェルで受けてハウジングには伝達されないようにするとともに、メタルシェル全面で機械的強度を発揮させるようにして前記外力に十分に対抗でき、しかも、小型化された電気コネクタの提供が可能である。
【発明を実施するための最良の形態】
【００１０】
以下、この発明のいくつかの実施の形態を添付の図を参照して説明する。
【００１１】
図１〜図８は第１の実施形態の電気コネクタ１０を表している。図１では、この電気コネクタ１０の要部となる部分が表れるように示しているが、このように横に倒した姿勢で使用されるとは限らない。実際の使用では、図２に示したように、取付基板１１に対して垂直に取り付けられるもので、その向きは任意である。もっとも以下の説明では、図２を基準として、上方を上、下方を下、左方を前、右方を後として説明することとする。
【００１２】
電気コネクタ１０は、絶縁性のプラスチックを成形したハウジング２０と、ステンレススチールなどの金属板を成形したメタルシェル３０とを備えており、リセプタクル型のコネクタを構成している。ハウジング２０には、図２に示されているように、薄金属板を打ち抜いて成形した導電性の端子４０が、図２において紙面に垂直の方向で並列させて、複数装着されている。
【００１３】
ハウジング２０は、略方形の基板部２１を下部に有しており、この基板部２１の中央にコンタクト支持部２２が立設されていると共に、基板部２１の前縁に前壁２３が立設されている。基板部２１を貫通するようにして複数の端子受入溝２１１が並列して設けられ、各端子受入溝２１１はコンタクト支持部２２の後面側に形成したコンタクト支持溝２２１に連通している。つまり、複数の端子４０は、ハウジング２０の下面側から挿入して、端子受入溝２１１の内壁と係合させることによって装着できるようになっており、装着した端子４０のコンタクト片４１がコンタクト支持溝２２１に延びると共に、半田テイル４２がハウジング２０の底面から下方に延びるようになっている。半田テイル４２はピン状をしており、複数の端子４０の半田テイル４２は、千鳥状に配置されるようになっている。
【００１４】
メタルシェル３０は、前記ハウジング２０の高さ（上下方向）より若干高い高さを有しており、ハウジング２０の外面を覆っている。即ち、メタルシェル３０は、前記基板部２１の互いに略平行を成している左右の外面２１２、２１３（第１、第２の外面、図３、５参照）を覆う第１の側板３１と第２の側板３２を有している。第１の側板３１と第２の側板３２も互いに略平行を成している。更に、前記基板部２１の第１の外面２１２と第２の外面２１３の間に延びている第３の外面２１４を覆う第３の側板３３も有している。この第３の側板３３は前記第１の側板３１と第２の側板３２と一体となっており、これらの側板３１、３２の間で延びている。
【００１５】
各側板３１、３２、３３は、上下の方向でこの電気コネクタ１０の高さの全範囲にわたって延びている。そして、第１の側板３１と第２の側板３２は、中間部より上側に段部３４、３５が形成されて、前部で対向間隔が狭められている。更に、第１、第２の側板３１、３２の上部から突合せ側板３６、３７が互いに近接する方向に延びて、突合せ部３８で連結され、電気コネクタ１０の上端に、相手コネクタ（図示せず）の嵌合口３９が形成されている。
【００１６】
前記ハウジング２０の第３の外面２１４に、図２に表れているように、断面Ｌ字形の爪片２４が、第３の外面２１４と略平行となるようにして、一体に設けられている。爪片２４は所定の間隔で２個設けられている。各爪片２４は、基部２４１と、基部２４１から直角に延びる立ち上がり片２４２で断面がＬ字形となっている。立ち上がり片２４２と第３の外面２１４の間の間隙が、メタルシェル３０を構成している金属板の板厚に略等しくされており、メタルシェル３０の第３の側板３３の端部が、第３の外面２１４と立ち上がり片２４２の間の間隙に収容され、爪片２４が第３の側板３３の端縁外側に係合している。
【００１７】
メタルシェル３０の第３の側板３３の端部には、このような爪片２４との係合が考慮されて、図９に示したように、切欠部３３１が形成され、２個の爪片２４の基部２４１が切欠部３３１の中に収容されると共に、両側の縁部がそれぞれ爪片２４の基部２４１の外側に係合するようにしている。この基部２４１と切欠部３３１の縁部の係合によって、ハウジング２０とメタルシェル３０の相対位置（左右方向）を定め、ハウジング２０のコンタクト支持部２２が前記嵌合口３９で所定の位置に臨むようにしている。
【００１８】
メタルシェル３０の第１の側板３１と第２の側板３２の端縁の略中央からは、各側板に一体のネイル３１１、３２１がそれぞれ連続して延びている。ハウジング２０の各端子受入溝２１１に、図２に表れているように、複数の端子４０を装着すると、端子４０のピン状の半田テイル４２がハウジング２０の底面から下方に千鳥状の配置で延びるが、前記ネイル３１１、３２１は、この千鳥状に整列している複数の半田テイル４２の両側に延びるようになっている。
【００１９】
メタルシェル３０の第３の側板３３には、図１に最も良く表れているように、ばね片３３２、３３３、３３４が内側に向けて打ち抜かれている。前記嵌合口３９を通して挿入される相手コネクタ（プラグコネクタ、図示せず）のメタルシェルに弾接して、相手コネクタの嵌合を保持すると共に、相互のメタルシェルが電気的に導通できるようにしている。
【００２０】
更に、メタルシェル３０の嵌合口３９を形成した２枚の突合せ側板３６、３７の一方の側板３６からは、固定用のフランジ３６１が一体に設けられて前方に突出している。そして、このフランジ３６１を支持するべく、ハウジング２０の前壁２３の上端にはプラットフォーム２３１が設けられ、フランジ３６１がプラットフォーム２３１の上に載置されるようにしている。なお、図１１に示すようにフランジ３６１に設けられた貫通穴３６２にボルト４５用のタップを立てて、このボルト４５を筺体４５の表面側から筺体４５に形成された貫通穴４４１を通して差し込むことによって、フランジ３６１を介して電気コネクタ１０を筺体４１へ固定することもできる。この時、電気コネクタ１０の嵌合口３９は筺体４４の裏面側から筺体４５に形成された開口部４４２を貫通して、表面側へ露出するようになり、相手側コネクタと嵌合できるようになっている。
【００２１】
このように構成される電気コネクタ１０は、図９で理解できるように、複数の端子４０が装着されたハウジング２０の上側からメタルシェル３０を嵌めるようにして、あるいは、メタルシェル３０の下側からハウジング２０を挿入するようにして、両部材を組み立てて製造することができる。両部材の組み立てで、ハウジング２０に設けた爪片２４がメタルシェル３０の第３の側板３３の外側に係合するので、仮係止の状態とすることができ、例えば、図１０のように横倒し状態としても、ハウジング２０が矢示１２の方向に転がり落ちて脱落しないようにできる。この実施形態では、前記第１、第２の側板３１、３２の側縁にかしめ片３１２、３２２が設けてあり、ハウジング２０とメタルシェル３０を組み立てた後、これらのかしめ片３１２、３２２を図８に拡大して示してあるように、矢示１３のように、ハウジング２０に向けてかしめてハウジング２０とメタルシェル３０を相互に固定している。
【００２２】
以上のように構成された電気コネクタ１０は、相手コネクタ側から加えられるこじりによる外力（図２の矢印Ｆ参照）に対抗するメタルシェル３０の第１、第２の側板３１、３２には、ハウジング２０と係合する溝のような切欠部は設けられていないので、強い耐力を発揮することができると共に、取り付け用のネイル３１１、３２１も十分な幅として必要な強度を保有させることができる。したがって、こじりの外力をメタルシェル３０で受けてハウジング２０には伝達されないようにしてハウジング２０への負荷をなくすとともに、端子４０等を保護することができる。そして、必要な強度を保有させたネイル３１１、３２１を介して取付基板１１へと伝達することができる。尚、各ネイル３１１、３２１は、図示の実施例では、第１、第２の側板３１、３２の幅の約半分の幅としているが、第１、第２の側板３１、３２の略全幅で設けることもできる。
【００２３】
このように、メタルシェル３０の第１、第２の側板３１、３２は、ハウジング２０と協働する溝のような切欠部を設けることなく、全面で機械的強度を発揮させるようにしたので、図１に矢印Ｗで示す幅および矢印Ｈで示す高さを縮小することが可能で、電気コネクタ１０全体の小型化を図ることができる。またさらに、電気コネクタ１０のフランジ３６１を筺体４５に固定することによって、メタルシェル３０が筺体４５に強固に保持されるので、相手コネクタから加えられるこじり力に対してさらに強い耐力を発揮できるようになる。
【００２４】
図１２〜図１５は、第２の実施形態の電気コネクタ１０を示している。前記第１の実施形態とは端子４０の半田テイルの形状が異なるのみで、他の部分は同一である。したがって、前記と同一の部分には同一の符号を付して説明は省略する。
【００２５】
ハウジング２０の底面から端子４０の半田テイル４３がＬ字状になって延びており、取付基板１１に半田テイル４３を表面半田付けできるようになっている。Ｌ字状の半田テイル４３は、２個の爪片２４の間で整列しており、先端４３１は爪片２４より外側に突出しないようにしている。このため、２個の爪片２４は、図１６に示したように、指１４が半田テイル４３に直接触れないようにガードでき、半田テイル４３を保護できるようになっている。
【００２６】
次に、図１７は、第３の実施形態の電気コネクタ１０を示している。この第３の実施形態は、前記第２の実施形態において設けていた取り付け用のフランジ３６１と、支持用のプラットフォーム２３１を設けていない点で異なっている。他の部分は第２の実施形態と同様に構成されている。したがって、同一の部分には同一の符号を付けることで説明は省略する。
【図面の簡単な説明】
【００２７】
【図１】この発明の第１の実施形態の電気コネクタの斜視図である。
【図２】同じく第１の実施形態の断面図である。
【図３】同じく第１の実施形態の平面図である。
【図４】同じく第１の実施形態の正面図である。
【図５】同じく第１の実施形態の底面図である。
【図６】同じく第１の実施形態の背面図である。
【図７】同じく第１の実施形態の右側面図である。
【図８】図５のＡ部を拡大した図である。
【図９】第１の実施形態のハウジングとメタルシェルを分解して示した参考図である。
【図１０】第１の実施形態のハウジングとメタルシェルを組み立てた状態の説明図である。
【図１１】第１の実施形態の電気コネクタを筺体に取り付けた状態の、図２と同様の断面図である。
【図１２】この発明の第２の実施形態の、図２と同様の断面図である。
【図１３】同じく第２の実施形態の平面図である。
【図１４】同じく第２の実施形態の底面図である。
【図１５】同じく第２の実施形態の背面図である。
【図１６】同じく第２の実施形態の背面の一部を斜視図で示した参考図である。
【図１７】この発明の第３の実施形態の、図２、１２と同様の断面図である。
【図１８】従来の電気コネクタの断面図である。
【図１９】同じく従来の電気コネクタを分解して示した参考図である。
【符号の説明】
【００２８】
１０          電気コネクタ
１１          取付基板
１４          指
２０          ハウジング
２１          基板部
２１１        端子受入溝
２１２        第１の外面
２１３        第２の外面
２１４        第３の外面
２２          コンタクト支持部
２２１        コンタクト支持溝
２３          前壁
２４          爪片
２４１        基部
２４２        立ち上がり片
３０          メタルシェル
３１          第１の側板
３１１        ネイル
３１２        かしめ片
３２          第２の側板
３２１        ネイル
３２２        かしめ片
３３          第３の側板
３３１        切欠部
３４          段部
３５          段部
３６          突合せ側板
３７          突合せ側板
３８          突合せ部
３９          嵌合口
４０          端子
４１          コンタクト片
４２          半田テイル
４３          半田テイル
４３１        先端
４４          筺体
４４１        開口部
４４２        貫通穴
４５          ボルト
【図１】
2005166345.tif 000003
【図２】
2005166345.tif 000004
【図３】
2005166345.tif 000005
【図４】
2005166345.tif 000006
【図５】
2005166345.tif 000007
【図６】
2005166345.tif 000008
【図７】
2005166345.tif 000009
【図８】
2005166345.tif 000010
【図９】
2005166345.tif 000011
【図１０】
2005166345.tif 000012
【図１１】
2005166345.tif 000013
【図１２】
2005166345.tif 000014
【図１３】
2005166345.tif 000015
【図１４】
2005166345.tif 000016
【図１５】
2005166345.tif 000017
【図１６】
2005166345.tif 000018
【図１７】
2005166345.tif 000019
【図１８】
2005166345.tif 000020
【図１９】
2005166345.tif 000021